(57)【要約】【課題】見守りの対象者の状況を通知するサービスを容易に構築する。【解決手段】通知プログラムは、複数のアクセスポイントを含むネットワークを制御する制御装置で実行される。制御装置は、複数のアクセスポイントのいずれかと通信する対象装置に割り当てられ、アクセスポイントとの通信に使用される制御信号に含まれるアドレスを取得し、対象装置のアドレスに対応付けて識別情報を記憶部に記憶する。制御装置は、対象装置の情報の通知先の特定に使用する通知先情報を受信すると、通知先情報に対応付けて通知された識別情報が記憶部に記憶されている場合、対象装置のアドレスに対応づけて通知先情報を記憶部に記憶する。制御装置は、複数のアクセスポイントのいずれかで受信された制御信号の送信元アドレスが記憶部に存在すると、送信元アドレスに対応づけて記憶している通知先に、対象装置からのアクセスが発生したことを通知する。【選択図】図２
2018007185.tif 000002
【特許請求の範囲】
【請求項１】
複数のアクセスポイントを含むネットワークを制御する制御装置に、
前記複数のアクセスポイントのいずれかと通信する対象装置に割り当てられ、前記アクセスポイントとの通信に使用される制御信号に含まれるアドレスを取得し、
前記対象装置のアドレスに対応付けて識別情報を記憶部に記憶し、
前記対象装置の情報の通知先の特定に使用する通知先情報を受信すると、前記通知先情報に対応付けて通知された識別情報が前記記憶部に記憶されている場合、前記対象装置のアドレスに対応づけて前記通知先情報を記憶部に記憶し、
前記複数のアクセスポイントのいずれかで受信された制御信号の情報を取得すると前記記憶部を参照し、
前記制御信号の送信元アドレスが前記記憶部に存在すると、当該送信元アドレスに対応づけて記憶している通知先に、前記対象装置からのアクセスが発生したことを通知する
処理を行わせることを特徴とする通知プログラム。
【請求項２】
前記制御装置は、前記複数のアクセスポイントの各々について、当該アクセスポイントの識別子と当該アクセスポイントの設置位置を対応付けた情報を記憶しており、
前記制御装置に、
前記制御信号を受信したアクセスポイントの識別子と共に、前記制御信号の送信元アドレスを取得し、
前記制御信号の送信元アドレスが前記記憶部に存在すると、前記制御信号を受信したアクセスポイントの設置位置を特定し、
前記制御信号の送信元アドレスに対応づけて記憶している通知先に、前記設置位置を通知する
処理をさらに行わせることを特徴とする請求項１に記載の通知プログラム。
【請求項３】
前記制御装置は、
前記対象装置からの制御信号を受信した第１のアクセスポイントと前記対象装置の間の接続が切断されると、前記対象装置が前記第１のアクセスポイントによって生成される第１の通信エリアから出たと判定し、前記対象装置が前記第１の通信エリアから移動したことを、前記通知先に通知し、
第２のアクセスポイントが前記対象装置からの他の制御信号を受信したことが通知されると、前記対象装置が第２のアクセスポイントによって生成される第２の通信エリアへ移動したことを前記通知先に通知する
ことを特徴とする請求項２に記載の通知プログラム。
【請求項４】
前記制御装置は、
前記対象装置が前記制御装置に前記対象装置のアドレスを通知する際に使用するサービスセット識別子を用いて送受信される信号から、前記対象装置のアドレスを取得する無線コントローラと通信可能であり、
前記対象装置のアドレスから前記複数のアクセスポイントのいずれかに接続要求が送信されたことと、前記接続要求を受信したアクセスポイントの識別子の組み合わせを、前記無線コントローラから受信し、
前記組み合わせ中の識別子で識別されるアクセスポイントが形成する通信エリアに前記対象装置が位置していると判定する
ことを特徴とする請求項２または３に記載の通知プログラム。
【請求項５】
複数のアクセスポイントのいずれかと通信する対象装置に割り当てられ、前記アクセスポイントとの通信に使用される制御信号に含まれるアドレスを取得する取得部と、
前記対象装置のアドレスに対応付けて識別情報を記憶する記憶部と、
前記対象装置の情報の通知先の特定に使用する通知先情報を受信する受信部と、
前記通知先情報に対応付けて通知された識別情報が前記記憶部に記憶されている場合、前記対象装置のアドレスに対応づけて前記通知先情報を記憶部に記憶する登録処理部と、
前記複数のアクセスポイントのいずれかとの通信に使用される制御信号の送信元アドレスが前記記憶部に存在すると、当該送信元アドレスに対応づけて記憶している通知先に、前記対象装置からのアクセスが発生したことを通知する通知処理部
を備えることを特徴とする制御装置。
【請求項６】
複数のアクセスポイントを含むネットワークを制御する制御装置が、
前記複数のアクセスポイントのいずれかと通信する対象装置に割り当てられ、前記アクセスポイントとの通信に使用される制御信号に含まれるアドレスを取得し、
前記対象装置のアドレスに対応付けて識別情報を記憶部に記憶し、
前記対象装置の情報の通知先の特定に使用する通知先情報を受信すると、前記通知先情報に対応付けて通知された識別情報が前記記憶部に記憶されている場合、前記対象装置のアドレスに対応づけて前記通知先情報を記憶部に記憶し、
前記複数のアクセスポイントのいずれかで受信された制御信号の情報を取得すると前記記憶部を参照し、
前記制御信号の送信元アドレスが前記記憶部に存在すると、当該送信元アドレスに対応づけて記憶している通知先に、前記対象装置からのアクセスが発生したことを通知する
処理を行なうことを特徴とする通知方法。
【発明の詳細な説明】
【技術分野】
【０００１】
本発明は、通知プログラム、制御装置、通知方法に関する。
【背景技術】
【０００２】
高齢者や子供などの状態の見守りに対するニーズが高まってきており、センサを搭載したデバイスなどを用いた様々な見守りシステムが提案されている。例えば、病室や居室内にいる患者の起き上がりや離床などの状況を見守るためのシステムも提案されている。さらに、無線通信装置の通信状態から、利用者が通信可能エリア内に存在するか通信可能エリア外に存在するかを判定（推定）することが特許文献１に開示されている（例えば、特許文献１）。
【先行技術文献】
【特許文献】
【０００３】
【特許文献１】特開２０１４−１７９８１９号
【発明の概要】
【発明が解決しようとする課題】
【０００４】
高齢者や子供などの見守りの対象者は、対象者自身の健康状態などによっては、病室や居室などの特定の室内に留まっているとは限らない。このため、単一の施設を超える広範囲な規模で見守りサービスを提供しようとした場合、特許文献１に開示されているようなセンサやＲＦＩＤ（radio frequency identifier）を用いることは現実的ではない。
【０００５】
本発明は、１つの側面として、見守りの対象となる対象者の状況を通知するサービスを容易に構築可能なシステムを提供することを目的とする。
【課題を解決するための手段】
【０００６】
ある態様にかかる通知プログラムは、複数のアクセスポイントを含むネットワークを制御する制御装置で実行される。制御装置は、前記複数のアクセスポイントのいずれかと通信する対象装置に割り当てられ、前記アクセスポイントとの通信に使用される制御信号に含まれるアドレスを取得し、前記対象装置のアドレスに対応付けて識別情報を記憶部に記憶する。制御装置は、前記対象装置の情報の通知先の特定に使用する通知先情報を受信すると、前記通知先情報に対応付けて通知された識別情報が前記記憶部に記憶されている場合、前記対象装置のアドレスに対応づけて前記通知先情報を記憶部に記憶する。制御装置は、前記複数のアクセスポイントのいずれかで受信された制御信号の情報を取得すると前記記憶部を参照する。制御装置は、前記制御信号の送信元アドレスが前記記憶部に存在すると、当該送信元アドレスに対応づけて記憶している通知先に、前記対象装置からのアクセスが発生したことを通知する。
【発明の効果】
【０００７】
見守りの対象となる対象者の状況を通知するシステムを効率的に生成できる。
【図面の簡単な説明】
【０００８】
【図１】システムの例を説明する図である。
【図２】実施形態にかかる位置情報通知方法の例を説明する図である。
【図３】制御装置の構成の例を説明する図である。
【図４】制御装置のハードウェア構成の例を説明する図である。
【図５】登録処理を行う装置の情報の取得方法の例を説明する図である。
【図６】通知対象テーブルと見守り対象のリストの例を説明する図である。
【図７】登録処理の例を説明する図である。
【図８】通知対象テーブルの例を説明する図である。
【図９】登録処理の際の制御装置の処理の例を説明するフローチャートである。
【図１０】承認処理の例を説明する図である。
【図１１】承認状況の変更の例を説明する図である。
【図１２】ログの例を説明する図である。
【図１３】無線ＬＡＮコントローラの処理の例を説明するフローチャートである。
【図１４】アクセスポイント情報テーブルの例を説明する図である。
【図１５】位置情報の通知の例を説明する図である。
【図１６】制御装置の処理の例を説明するフローチャートである。
【図１７】位置情報の通知の例を説明する図である。
【図１８】第２の実施形態での登録処理の例を説明するシーケンス図である。
【発明を実施するための形態】
【０００９】
図１は、実施形態にかかるシステムの例を説明する図である。実施形態にかかるシステムには、管理センタ１００と１つ以上の通信エリア３が含まれている。管理センタ１００は、アクセスポイント５を管理する無線ＬＡＮ（Local Area Network）コントローラ（ＷＬＣ、Wireless LAN Controller）２０と制御装置３０を含む。管理センタ１００には、さらに、登録状況を管理する管理装置２４や、通知処理がメールを用いて行われる場合にメールを処理するメールサーバ２２などが含まれていても良い。無線ＬＡＮコントローラ２０は、システム中のアクセスポイント５の各々から、そのアクセスポイント５に接続している通信装置などの情報を取得し、取得した情報を、適宜、制御装置３０に通知する。制御装置３０は、システム中の通信処理を制御する。例えば、制御装置３０は、ＳＤＮ（Software-Defined Networking）コントローラによって実現されうる。
【００１０】
通信エリア３は、アクセスポイント５から送信された電波を用いて通信装置が無線通信を行うことができる領域である。図１の例では、通信エリア３ａ〜３ｃが図示されているが、システム中の通信エリア３の数は任意である。図１では、通信エリア３ａはアクセスポイント５ａによって形成されている。同様に、通信エリア３ｂはアクセスポイント５ｂによって形成され、通信エリア３ｃはアクセスポイント５ｃによって形成される。
【００１１】
以下、依頼者１２が通信エリア３ａで見守りサービスへの登録を行う場合を例として、見守りサービスへの登録から見守りサービスでの特定の人物の位置の通知処理の例を説明する。以下の説明では、見守りサービスによって位置が特定される人物を「見守り対象者」と記載することがある。見守り対象者は、見守りサービスへの登録後は端末１０を所持しているものとし、システムでは、端末１０の位置を特定する。一方、依頼者１２は、通信装置１５を使用して登録処理や位置の通知の取得を行うものとする。
【００１２】
図２は、実施形態にかかる位置情報通知方法の例を説明する図である。以下の説明では、アクセスポイント５ａ〜５ｃの各々は、通信に使用されるＳＳＩＤ（Service Set Identifier）の他に、見守りサービスへの登録に使用されるＳＳＩＤを用いた通信が可能であるとする。また、制御装置３０は、システム中に設置されている全てのアクセスポイント５について、アクセスポイントの設置位置の情報を、予め、記憶しているとする。
【００１３】
見守りサービスへの登録を行うために、依頼者１２は、見守り対象者１６に保持させる端末１０と、依頼者１２自身が使用する通信装置１５を所持して、通信エリア３ａに入ったとする。依頼者１２は、端末１０を用いてアクセスポイント５ａに対して、登録用のＳＳＩＤでアクセスする（ステップＳ１）。アクセスポイント５ａは、登録用ＳＳＩＤでのアクセスがあったことを通知する情報を、無線ＬＡＮコントローラ２０を介して制御装置３０に通知する（ステップＳ２）。すると、制御装置３０は、端末１０との間で通信を確立する（ステップＳ３）。なお、ステップＳ３では、端末１０から制御装置３０に登録処理に関する情報の要求を行うことによって端末１０と制御装置３０の通信が開始されても良く、また、制御装置３０が端末１０に特定のデータを送信することで通信が開始されても良い。さらに、端末１０から制御装置３０に登録処理に関する情報を要求する場合、ステップＳ２において無線ＬＡＮコントローラ２０によるリダイレクト処理が行われることで、端末１０が制御装置３０の情報を取得する。
【００１４】
端末１０と制御装置３０の間での通信が開始すると、端末１０は、登録処理用の情報の宛先の情報（宛先情報）と、端末１０に割り当てられているＭＡＣ（Media Access Control）アドレスを制御装置３０に通知する（ステップＳ４）。図２の例では、端末１０には、ＭＡＣａというＭＡＣアドレスが割り当てられているとする。宛先情報は、制御装置３０から通信装置１５にアクセスするために使用可能な任意の情報である。例えば、宛先情報は、依頼者１２が通信装置１５を用いて受信可能なメールアドレスや、通信装置１５のアドレス情報などとすることができる。
【００１５】
制御装置３０は、端末１０のＭＡＣアドレスとともに通知された宛先情報を、ＭＡＣアドレス（ＭＡＣａ）に対応付けて記憶する。さらに、制御装置３０は、端末１０のＭＡＣアドレスに対応付けて、端末１０を用いた見守りサービスの登録に関するアクセスを識別する識別情報を生成する（ステップＳ５）。ここで、識別情報は、１種類の情報であっても良く、ＩＤとパスワードのような複数の種類の情報の組み合わせであっても良い。図２の例では、識別情報としてＩＤａという情報が生成され、ＭＡＣａというアドレスに対応付けて制御装置３０に記憶されたとする。
【００１６】
制御装置３０は、端末１０を用いた見守りサービスの登録に関するアクセスのために生成した識別情報を、通信装置１５に通知する（ステップＳ６）。ここで、識別情報の通知は、識別情報がデータとして通知される形で行われても良く、また、識別情報に対応付けられた登録画面などへのアクセスに用いる情報に識別情報を含める形で行われても良い。
【００１７】
依頼者１２は、通信装置１５を用いて、見守り対象者１６の位置情報の特定結果の通知先を、通信装置１５に入力する。すると、通信装置１５上で動作するアプリケーションの処理により、制御装置３０から通知された識別情報に対応付けて、通信装置１５に入力された通知先が制御装置３０に通知される（ステップＳ７）。例えば、通信装置１５に受信設定の行われているメールアドレスが、識別情報に対応付けて、通知先として制御装置３０に通知されたとする。すると、制御装置３０は、通知先の情報を、端末１０のＭＡＣアドレスや識別情報と対応付けて記憶する（ステップＳ８）。図２の例では、制御装置３０は、通信装置１５から通知されたメールアドレスを、端末１０のＭＡＣアドレスであるＭＡＣａや、識別情報ＩＤａに対応付けて記憶する。
【００１８】
登録処理が終わった後で、端末１０を所持した見守り対象者１６が、通信エリア３ｂに入ったとする。すると、端末１０は、通信エリア３ｂを形成しているアクセスポイント５ｂに対して、制御信号を送信する（ステップＳ９）。なお、制御信号は、任意の制御処理のために用いられる任意の信号であり、かつ、送信元のＭＡＣアドレスを含む信号であるとする。例えば、制御信号は、プローブリクエスト、認証要求などであってもよい。アクセスポイント５ｂは、制御信号を受信すると、制御信号中に含まれている端末１０のＭＡＣアドレスを含むアクセス情報を無線ＬＡＮコントローラ２０に通知する（ステップＳ１０）。無線ＬＡＮコントローラ２０は、端末１０のアクセス情報を、端末１０がアクセスしているアクセスポイント５ｂの識別情報とともに、制御装置３０に通知する（ステップＳ１１）。
【００１９】
制御装置３０は、無線ＬＡＮコントローラ２０から通知された情報中のＭＡＣアドレスを、見守りサービスによって位置を特定する対象の装置のＭＡＣアドレスと比較する。このため、制御装置３０は、ＭＡＣａを含むアクセス情報がステップＳ１１で通知されると、端末１０からのアクセスが発生したことを認識できる。制御装置３０は、通知されたアクセスポイント５ｂの識別情報を用いて、識別情報とアクセスポイントに関連する情報とが対応づけられたアクセスポイント情報を格納してある記憶部から、アクセスポイント５ｂの情報を読み出して、通信装置１５に通知する（ステップＳ１２）。通信装置１５に通知された通知内容を参照した依頼者１２は、通知されたアクセスポイント情報を見守り対象者１６の位置情報として認識することが可能となる。なお、アクセスポイントに関連する情報は、アクセスポイントを設置した緯度経度であってもよいし、アクセスポイントを設置した住所であってもよいし、アクセスポイントを設置した施設名であってもよい。また、緯度経度を通知する際には、緯度経度に応じた情報を提供するサービスのアドレスを付加して、依頼者１２が理解できる情報として受信できるようにしてもよい。
【００２０】
このように、アクセスポイント５などの既に設置されているインフラ設備と、見守りの対象となる対象者が所有するデバイスとを用いた、対象者の状況を通知するシステムを容易に構築することができる。そして、このようなシステムが容易に構築できることにより、見守りサービスを提供する敷居が下がり、見守りサービスを提供する事業者を増加させることに繋がる。その結果、対象者が日常的に立ち寄る施設でサービスが開始される可能性が高くなり、見守りサービスを登録できる環境が整いやすくなる。
【００２１】
なお、図２を参照しながら、見守り対象者１６の位置を通知する場合について説明したが、位置情報の代わりに、端末１０のアクセスが検出されたことを通信装置１５に通知するように、処理が変形されても良い。端末１０のアクセスが検出されたことを通信装置１５に通知するシステムの場合、依頼者１２は、通信装置１５への通知を確認することにより、見守り対象者１６がシステム中のいずれかのアクセスポイント５の近傍に位置していることを認識できる。また、通信エリア３に入ったことが通知された場合、依頼者１２は、端末１０を保持している見守り対象者１６が移動可能な状況であることを認識できる。また、このように変形されると、制御装置３０は、位置特定を行わないので、処理負荷が軽減される。
【００２２】
＜装置構成＞
図３は、制御装置３０の構成の例を説明する図である。制御装置３０は、通信部３１、制御部４０、記憶部５０を備える。通信部３１は、送信部３２と受信部３３を有する。制御部４０は、取得部４１、登録処理部４２、位置特定部４３、通知処理部４４を有する。記憶部５０は、アクセスポイント（ＡＰ）情報テーブル５１と通知対象テーブル５２を保持する。
【００２３】
アクセスポイント情報テーブル５１は、システム中のアクセスポイント５の各々について、設置位置とアクセスポイントの識別情報を対応付けている。通知対象テーブル５２は、端末１０ごとに、端末１０のＭＡＣアドレスと通知先を対応付けている。通知対象テーブル５２は、登録処理部４２と位置特定部４３の処理により生成される。
【００２４】
送信部３２はパケットを、無線ＬＡＮコントローラ２０や端末１０などの他の装置に送信する。受信部３３はパケットを、端末１０や無線ＬＡＮコントローラ２０などの他の装置から受信する。
【００２５】
取得部４１は、受信部３３を介して受信したパケットから、端末１０のＭＡＣアドレスや端末１０に対する登録処理を行う通信装置１５の情報を取得するとともに、得られた情報を通知対象テーブル５２に記録する。登録処理部４２は、通信装置１５から受信した情報を用いて、適宜、通知対象テーブル５２の情報を更新することにより、端末１０の現在地の通知先の情報の登録処理を行う。位置特定部４３は、無線ＬＡＮコントローラ２０から得られた通信状況の履歴を用いて、端末１０が接続中のアクセスポイントを特定する。通知処理部４４は、位置特定部４３で特定したアクセスポイントの設置位置を、通知先の装置に通知するための処理を行う。なお、通知処理部４４は、適宜、アクセスポイント情報テーブル５１を用いて、アクセスポイントの設置位置を特定し、特定した情報を含めた通知メッセージを通知先に送信するための処理を行う。
【００２６】
図４は、制御装置３０のハードウェア構成の例を説明する図である。制御装置３０は、プロセッサ１０１、メモリ１０２、バス１０５、ネットワークインタフェース１０９を備える。さらに、制御装置３０は、入力装置１０３、出力装置１０４、記憶装置１０６、可搬記憶媒体駆動装置１０７の１つ以上を有していても良い。
【００２７】
プロセッサ１０１は、Central Processing Unit（ＣＰＵ）を含む任意の処理回路であり、メモリ１０２や記憶装置１０６に記憶されたプログラムを実行することができる。バス１０５は、プロセッサ１０１、メモリ１０２、入力装置１０３、出力装置１０４、記憶装置１０６、可搬記憶媒体駆動装置１０７、ネットワークインタフェース１０９を、相互にデータの送受信が可能になるように接続する。入力装置１０３は、キーボードやマウスなど、情報の入力に使用される任意の装置であり、出力装置１０４は、ディスプレイを含む表示デバイスなど、データの出力に使用される任意の装置である。可搬記憶媒体駆動装置１０７は、メモリ１０２や記憶装置１０６のデータを可搬記憶媒体１０８に出力することができ、また、可搬記憶媒体１０８からプログラムやデータ等を読み出すことができる。ここで、可搬記憶媒体１０８は、Compact Disc Recordable（ＣＤ−Ｒ）やDigital Versatile Disk Recordable（ＤＶＤ−Ｒ）を含む、持ち運びが可能な任意の記憶媒体とすることができる。
【００２８】
制御装置３０において、プロセッサ１０１は制御部４０を実現する。制御装置３０において、メモリ１０２と記憶装置１０６は、記憶部５０として動作し、ネットワークインタフェース１０９は、通信部３１として動作する。
【００２９】
＜第１の実施形態＞
以下、第１の実施形態を、登録処理、登録の承認、無線ＬＡＮコントローラでのログの作成、制御装置での位置情報の特定と通知、制御装置での位置情報の特定と通知に分けて説明する。なお、登録の承認はセキュリティ強化のために行われている処理であり、図２等を参照しながら説明したように、登録の承認処理を省略して、登録処理後にすぐに見守り対象者１６の位置情報の通知が開始されても良い。
【００３０】
（１）登録処理
見守りシステムに対する登録を行おうとする依頼者１２や見守り対象者１６には、見守りシステムへの登録処理が可能なアクセスポイント５の位置、登録処理に使用可能なＳＳＩＤなどの情報が、予め、通知されているとする。さらに、登録処理に使用される登録フォームや、登録フォームに含まれる情報の通知先の入力画面（登録フォームの宛先通知画面）の情報は、予め、制御装置３０が保持しているものとする。また、無線ＬＡＮコントローラ２０は、宛先通知画面の格納位置を特定するために使用されるＵＲＩ（Uniform Resource Identifier）を保持しているとする。
【００３１】
図５は、登録処理を行う装置の情報の取得方法の例を説明する図である。見守りシステムに対する登録を行おうとする依頼者１２や見守り対象者１６は、端末１０を携帯した様態で、アクセスポイント５ａの通信エリア内に入ると共に、登録用ＳＳＩＤを用いて端末１０からアクセスポイント５ａにアクセスする（ステップＳ２１）。アクセスポイント５ａは、端末１０が登録用ＳＳＩＤを用いてアクセスしていることを無線ＬＡＮコントローラ２０に通知する（ステップＳ２２）。無線ＬＡＮコントローラ２０は、登録用ＳＳＩＤを用いてアクセスしてきた端末１０のＭＡＣアドレスをリスト（図６のＬ１参照）に記録する。なお、図５のステップＳ２１とＳ２２は、図を見やすくするために、それぞれ１つの矢印で信号の送信方向を示しているにすぎない。すなわち、ステップＳ２１において端末１０とアクセスポイント５ａの間で送受信される信号の数や、ステップＳ２２のアクセスポイント５ａから無線ＬＡＮコントローラ２０への通知回数は、実装に応じて任意に変更され得る。さらに、ステップＳ２１やＳ２２に並行して、アクセスポイント５から端末１０に信号が送信されても良い。なお、ステップＳ２２で通知を受けた無線ＬＡＮコントローラ２０は、アクセスが通知された端末１０のうち、リストＬ１に含まれていない端末１０の情報をリストＬ１に追加する。
【００３２】
ステップＳ２２において、端末１０がアクセスポイント５ａに対して、登録用ＳＳＩＤを用いてＨＴＴＰ（Hypertext Transfer Protocol）パケットを送信したことが無線ＬＡＮコントローラ２０に通知されたとする。図５の例では、端末１０が登録用ＳＳＩＤを用いてＨＴＴＰパケットを送信した場合、無線ＬＡＮコントローラ２０は、端末１０が登録処理を行うための登録システムにアクセスしようとしていると判定する。そこで、無線ＬＡＮコントローラ２０は、登録フォームの宛先通知画面の情報として、宛先通知画面が格納されているＵＲＩを端末１０に通知する（ステップＳ２３）。端末１０は、無線ＬＡＮコントローラ２０から通知されたＵＲＩを用いて、無線ＬＡＮコントローラ２０に対して、宛先通知画面のデータを要求する（ステップＳ２４）。なお、ステップＳ２３とＳ２４の処理は、無線ＬＡＮコントローラ２０によるＨＴＴＰリダイレクト処理によって、端末１０が制御装置３０にアクセスするように設定されても良い。
【００３３】
制御装置３０中の受信部３３は、端末１０から送信された宛先通知画面のデータ要求を受信し、宛先通知画面のデータ要求を取得部４１に出力する。取得部４１は、宛先通知画面のデータ要求に応答して、予め保持している宛先通知画面のデータを、送信部３２経由で端末１０に送信する（ステップＳ２５）。端末１０は、制御装置３０から受信したデータを処理することにより、端末１０が備える画面に、登録フォームの宛先通知画面を表示する。
【００３４】
図５の画面Ｇ１は、登録フォームの宛先通知画面の表示例である。画面Ｇ１の例では、登録フォームの送信先の特定の際に、メールアドレスが使用される場合を示している。登録フォームの宛先通知画面には、メールアドレスの入力用のテキストボックスと登録用のボタンが含まれている。依頼者１２や見守り対象者１６は、端末１０に画面Ｇ１に示すような登録フォーム宛先通知画面が表示されると、テキストボックスに、登録フォームを表示させようとする装置で受信可能なメールの宛先となるメールアドレスを入力する。その後、依頼者１２や見守り対象者１６は、画面Ｇ１中の登録ボタンを押下する。これらの処理は、宛先通知画面から登録フォーム情報の宛先を登録する処理に当たる（ステップＳ２６）。画面Ｇ１中の登録ボタンが押下されると、端末１０は、画面Ｇ１のテキストボックス中に記録されているメールアドレスを、端末１０に割り当てられているＭＡＣアドレス（ＭＡＣａ）と対応付けて、制御装置３０に向けて送信する（ステップＳ２７）。例えば、ステップＳ２７において、通信装置１５で受信可能なメールアドレスであるａａａ＠ｅｘａｍｐｌｅ．ｃｏｍというアドレスが、Ｇ１に示す登録画面を用いて制御装置３０に通知されたとする。
【００３５】
制御装置３０の受信部３３は、受信した情報を、取得部４１に出力する。このため、取得部４１は、端末１０と通信装置１５で受信可能なメールアドレスの組み合わせを取得する。取得部４１は、端末１０のＭＡＣアドレスに対応付けて、端末１０を用いた見守りサービスの登録に関するアクセスを識別する識別情報を生成する（ステップＳ２８）。取得部４１は、端末１０のＭＡＣアドレスや、登録フォーム情報の宛先の情報と共に、生成した識別情報を、通知対象テーブル５２に記録する。
【００３６】
図６は、通知対象テーブル５２の例を説明する図である。通知対象テーブル５２−１は、ＭＡＣアドレス、登録フォーム情報の宛先メールアドレス、識別情報、通知先、仮登録番号が含まれる。ＭＡＣアドレスは、見守り対象者１６が保持する端末１０に割り当てられたＭＡＣアドレスである。登録フォーム情報の宛先メールアドレスは、登録フォームの宛先通知画面（図５のＧ１）を用いて制御装置３０に通知された通知先の情報である。識別情報は、各エントリ中のＭＡＣアドレスを識別する情報であり、エントリ中のＭＡＣアドレスが割り当てられた装置に関する登録処理を識別する際に使用される。通知先は、各エントリ中のＭＡＣアドレスが割り当てられた装置の位置情報の通知先である。仮登録番号は、登録処理の最後に制御装置３０から振り出される番号であり、登録処理の後の承認の際に使用される。
【００３７】
通知対象テーブル５２−１の１番目のエントリは、図５を参照しながら説明した処理により、登録された情報の例である。図５のステップＳ２７において、ＭＡＣａが割り当てられた端末１０から送信されたメールアドレス（ａａａ＠ｅｘａｍｐｌｅ．ｃｏｍ）は、端末１０のＭＡＣアドレスに対応付けて記録されている。図６の例では、ステップＳ２８において、取得部４１がＵＳＥＲ＝ｙｙｙとＰａｓｓ＝ｚｚｚという２つの情報の組み合わせを識別情報として生成している。なお、図５の処理の段階では、ＭＡＣａが割り当てられた端末１０についての登録が終わっていないので、通知先の情報と仮登録番号は登録されていない。
【００３８】
リストＬ１は、見守り処理の対象の装置として、無線ＬＡＮコントローラ２０が保持している情報である。無線ＬＡＮコントローラ２０は、登録用ＳＳＩＤを用いてシステム中のいずれかのアクセスポイント５にアクセスした端末１０のＭＡＣアドレスを、リストＬ１中に保持する。リストＬ１の例では、ＭＡＣａが割り当てられた端末１０と、ＭＡＣｂが割り当てられた端末１０ｂ（図示せず）とが見守り処理の対象として、無線ＬＡＮコントローラ２０に認識されている。
【００３９】
図７は、登録処理の例を説明する図である。制御装置３０中の登録処理部４２は、識別情報が生成されており、通知先情報が得られていない端末１０について、端末１０の位置情報の通知先を取得するための登録フォーム画面を生成する。登録処理部４２は、生成した登録フォームを、端末１０のＭＡＣアドレスに対応付けて生成された識別情報を含むＵＲＩで指定される領域に保持する。例えば、登録処理部４２は、ＭＡＣａが割り当てられた端末１０についての通知先を取得するための登録フォームを、ｈｔｔｐｓ：／／ｘｘｘｘ？ＵＳＥＲ＝ｙｙｙ＆ＰＡＳＳ＝ｚｚｚというＵＲＩで表わされる領域に保存する。
【００４０】
その後、登録処理部４２は、登録フォームの情報を含む通知を、登録フォームの宛先として通知された宛先に送信する（ステップＳ３１）。このとき、登録フォームの情報を含む通知には、端末１０に対して生成した識別情報が含まれている。例えば、端末１０の情報の登録に使用される登録フォームのＵＲＩに、識別情報として使用されるＵＳＥＲ＝ｙｙｙとＰＡＳＳ＝ｚｚｚの組合せが含められている場合、登録処理部４２は、ＵＲＩを通知することにより、識別情報を通信装置１５に通知している。登録処理部４２は、ＭＡＣａが割り当てられた端末１０についての通知先を取得するための登録フォームのＵＲＩを通知する通知メールを、ａａａ＠ｅｘａｍｐｌｅ．ｃｏｍ宛に送信する。この場合、図７中のメールｍ１がａａａ＠ｅｘａｍｐｌｅ．ｃｏｍ宛に送信される。ａａａ＠ｅｘａｍｐｌｅ．ｃｏｍ宛のメールは、適宜、メールサーバ等を介して、通信装置１５で受信されたとする。なお、メールｍ１が送信される場合、識別情報は、ＵＲＩの中に含めた状態で通信装置１５に通知される。
【００４１】
通信装置１５は、メールｍ１中のＵＲＩを用いて、制御装置３０に対し、登録フォームのデータを要求する（ステップＳ３２）。制御装置３０中の登録処理部４２は、通信装置１５からの要求に応じて、ＭＡＣａが割り当てられた端末１０についての通知先を取得するための登録フォームのデータを通信装置１５に送信する（ステップＳ３３）。
【００４２】
画面Ｇ２は、ＭＡＣａが割り当てられた端末１０についての通知先の登録に用いられる登録フォームの例である。登録フォームには、端末１０を保持している見守り対象者１６の位置情報を通知する通知先のメールアドレスを入力するためのテキストボックスが含まれている。端末１０を保持している見守り対象者１６の位置情報の通知先が複数ある場合には、通知先アドレス１の他に、通知先アドレス２などのテキストボックスも用いて、通知先の情報が登録される。画面Ｇ２に示す例では、登録処理が終わった後の認証処理に使用するために、通知先に設定された依頼者１２の氏名を登録するテキストボックスも、登録フォームに含められている。画面Ｇ２に示す例では、さらに、見守り対象者１６の氏名や見守り対象者１６が保持する端末１０が受信可能なメールアドレス（見守り対象者メールアドレス）の入力のためのテキストボックスも含まれている。なお、画面Ｇ２に含まれているテキストボックスのうち、見守り対象者１６が保持する端末１０が受信可能なメールアドレスの情報を取得するためのテキストボックスは、オプションであり、登録フォームに含められていなくても良い。
【００４３】
通信装置１５は、登録フォームの情報を受信すると、通信装置１５に備えられている画面に登録フォーム（Ｇ２）を表示する。依頼者１２は、通信装置１５の入力装置等を用いて、通知先の情報を登録フォームに入力し、登録フォーム中の登録ボタンを押下する。すると、通信装置１５は、通知先が入力された登録フォームの情報（通知先登録情報）を生成する（ステップＳ３４）。通信装置１５は、通知先登録情報を制御装置３０に送信する（ステップＳ３５）。ここで、通知先登録情報は、登録フォームの情報に対応付けて生成されているので、ＵＳＥＲ＝ｙｙｙ、ＰＡＳＳ＝ｚｚｚという情報の組合せ（識別情報）と、登録フォームから入力された通知先の情報を含んでいる。
【００４４】
制御装置３０において、登録処理部４２は、受信部３３を介して、通知先登録情報を取得する。登録処理部４２は、通知先の情報を、通知先登録情報に含まれている識別情報に対応付けて通知対象テーブル５２に記憶する（ステップＳ３６）。ここで、通知対象テーブル５２において、識別情報は、端末１０のＭＡＣアドレスに対応付けられている。このため、識別情報を用いて、見守り対象者１６が保持する端末１０のＭＡＣアドレスと、端末１０の位置情報の通知先とが対応付けられる。通知先の記憶例は、図８を参照しながら後述する。
【００４５】
通知先を記憶すると、登録処理部４２は、登録完了画面を生成する。画面Ｇ３は、登録完了画面の例である。登録完了画面には、認証処理で使用される仮登録番号が記録されている。画面Ｇ３の例では、仮登録番号は１２３４５である。
【００４６】
登録処理部４２は、送信部３２を介して、登録完了画面データを、通信装置１５に送信する（ステップＳ３７）。通信装置１５は、登録完了画面データを受信すると、ディスプレイに登録完了画面を表示する（ステップＳ３８）。このため、依頼者１２は、通信装置１５の表示を確認することによって、仮登録番号を取得できる。
【００４７】
図８は、ステップＳ３６の処理によって生成された通知対象テーブル５２の例（通知対象テーブル５２−２）を示す。ステップＳ３６において、ＵＳＥＲ＝ｙｙｙとＰａｓｓ＝ｚｚｚの組み合わせに対応付けて、ａａａ＠ｅｘａｍｐｌｅ．ｃｏｍと、ｍｉｍａｍｏｒｉ＿１＠ｘｘ．ｙｙが、通知先登録情報として制御装置３０に通知されたとする。この場合、登録処理部４２は、識別情報をキーとして、アクセスポイント情報テーブル５１−１（図６）中のエントリを検索し、ヒットしたエントリに、得られたアドレスを登録する。さらに、登録処理部４２は、ステップＳ３７で通信装置１５に通知した仮登録番号も、ＵＳＥＲ＝ｙｙｙとＰａｓｓ＝ｚｚｚの組み合わせを含むエントリに登録される。このため、通知対象テーブル５２−１（図６）は、通知対象テーブル５２−２（図８）に更新される。
【００４８】
図９は、登録処理の際の制御装置３０の処理の例を説明するフローチャートである。受信部３３は、宛先通知画面へのアクセス要求を受信する（ステップＳ４１）。取得部４１は、送信部３２を介して、端末１０に宛先通知画面のデータを送信する（ステップＳ４２）。取得部４１は、宛先通知画面から、登録フォームの宛先のメールアドレス（宛先メールアドレス）とＭＡＣアドレスの組み合わせを取得する（ステップＳ４３）。取得部４１は、宛先メールアドレスとＭＡＣアドレスの組み合わせを識別する識別情報を生成する（ステップＳ４４）。ここで、登録フォームの情報の宛先のメールアドレスとＭＡＣアドレスの組み合わせを識別する識別情報は、組み合わせ中のＭＡＣアドレスが割り当てられた端末１０を用いた見守りサービスの登録に関するアクセスを識別する識別情報として使用される。また、識別情報は、端末１０のＭＡＣアドレスを識別する情報としても使用され得る。
【００４９】
登録処理部４２は、登録フォームの情報の宛先メールアドレスに宛てて、識別情報に対応付けた登録画面のＵＲＬ（Uniform Resource Locator）を通知する通知メールを送信する（ステップＳ４５）。その後、受信部３３は、登録フォームへのアクセス要求を受信する（ステップＳ４６）。登録処理部４２は、送信部３２を介して、登録フォームのデータをアクセス要求元に送信する（ステップＳ４７）。登録処理部４２は、登録フォームに入力されたメールアドレスを通知先のアドレスとして、登録フォームに対応付けられている識別情報に対応付ける（ステップＳ４８）。
【００５０】
（２）登録の承認
次に、通信装置１５と制御装置３０の間で行われた登録の承認について説明する。なお、通信装置１５と制御装置３０の間での処理により登録された情報が個人情報に関する情報を含んでいるため、セキュリティ上の問題から、オペレータによる認証処理が行われる場合の処理を説明する。なお、実装に応じて、オペレータによる認証処理を含まないシステムが生成されても良い。
【００５１】
図１０は、承認処理の例を説明する図である。図５〜図９を参照しながら説明した処理により、登録処理は行われているが、登録の認証が終わるまでは、制御装置３０は、端末１０についての位置情報が得られても通知処理を開始しない。
【００５２】
登録の承認の際に、依頼者１２は、見守りサービスによる見守り対象者１６に保持させる端末１０、登録処理で得られた仮登録番号、依頼者１２の身分証明書を持参して、オペレータに提示する（矢印Ａ１）。図１０の例では、管理装置２４は市役所に設置されており、オペレータは市役所の職員である。
【００５３】
管理装置２４には、画面Ｇ１１に示すように、制御装置３０を介して行われた登録処理の各々に対して、仮登録番号、通知先のメールアドレス、依頼者１２の氏名、見守り対象者１６の氏名などの情報と、承認ボタン、表示ボタンが含まれている。画面Ｇ１１中の通知先のメールアドレスは、登録フォームにおいて、通知先に指定されたメールアドレスである。オペレータは、管理装置２４の画面に表示された画面Ｇ１１を参照しながら承認処理を行う。詳細の表示ボタンを押下すると、エントリ中の仮登録番号で識別される登録に使用された情報の詳細が表示される。
【００５４】
オペレータは、依頼者１２から提示された情報を用いて、見守りシステムの不正な使用であるかを判定する。例えば、オペレータは、画面Ｇ１１において、仮登録番号に対応付けて表示されている依頼者１２の氏名が、提示された身分証明書の氏名と、一致しているかを判定する。画面Ｇ１１において、仮登録番号に対応付けられている依頼者１２の氏名が、依頼者１２が提示した身分証明書中の氏名と一致する場合、オペレータは、見守りシステムの不正な使用ではないと判定する。なお、システムの運用ポリシーに応じて、オペレータは、見守り対象者１６と依頼者１２の間の関係や、依頼者１２の身分証明書が偽造されていないなどの条件も、見守りシステムの不正な使用であるかの判定条件に追加しても良い。
【００５５】
オペレータは、見守りシステムの不正な使用ではないと判定すると、処理対象となっている仮登録番号に対応付けられた承認ボタンを押下する（矢印Ａ２）。オペレータが承認ボタンを押下すると管理装置２４は、承認ボタンに対応付けられているエントリに対応付けられている登録情報についての通知処理の開始要求を、制御装置３０に送信する。開始要求には、仮登録番号が含まれている。制御装置３０中の登録処理部４２は、受信部３３を介して、開始要求を取得すると、開始要求に含まれている仮登録番号に対応付けられた端末１０の位置情報の通知処理を開始する。
【００５６】
図１１は、承認状況の変更の例を説明する図である。オペレータは、管理装置２４から操作を行うことにより、位置情報の通知設定の解除や、通知先の変更を行うこともできる。通知設定の解除や変更を希望する依頼者１２は、見守り対象者１６に携帯させる端末１０と依頼者１２の身分証明書を持参して、管理装置２４のオペレータに提示する（矢印Ａ１１）。図１１の例でも、管理装置２４は市役所に設置されており、オペレータは市役所の職員である。管理装置２４が表示する管理画面Ｇ２１には、図１０の画面Ｇ１１と同様に、仮登録番号、通知先メールアドレス、依頼者１２の氏名、見守り対象者１６の氏名などの情報が表示されている。
【００５７】
オペレータは、依頼者１２から提示された身分証明書の氏名と、画面Ｇ２１中の氏名の情報が一致すると、依頼者１２から要求された変更処理や見守りサービスの解除を行う（矢印Ａ１２）。サービスを解除する場合、オペレータは、承認されている状態のエントリ中の承認ボタンを押下することにより、承認を解除できる。画面Ｇ２１の例では、承認が解除されると、ボタンの表示は「解除」となっている。画面Ｇ２１は、仮登録番号＝１２３４５の登録についての登録解除が依頼者１２から要求された場合の画面を示している。
【００５８】
登録情報の変更が依頼者１２から要求された場合、オペレータは、承認されている状態のエントリ中の詳細の表示ボタンを押下することにより、見守り対象端末情報更新画面Ｇ２２を表示できる。オペレータは、依頼者１２からの申し出に従って、見守り対象端末情報更新画面中の情報を変更した後で、見守り対象端末情報更新画面Ｇ２２中の更新ボタンを押下することによって、登録情報を更新できる。見守り対象端末情報更新画面Ｇ２２は、図７の画面Ｇ２を参照しながら説明した登録フォームと同様の画面であり、登録フォームと同じ情報要素の入力用のテキストボックスが含まれている。
【００５９】
（３）無線ＬＡＮコントローラ２０でのログの作成
図１２は、ログの例を説明する図である。無線ＬＡＮコントローラ２０は、システム中のいずれかのアクセスポイント５から通知されたアクセスの情報のうち、プローブリクエスト以外の情報は、全ての装置について、ログにアクセスの情報を記録する。見守りシステムに対する登録用ＳＳＩＤを用いたアクセスが観測された端末１０については、無線ＬＡＮコントローラ２０は、プローブリクエストの検出に対するログも記録する。
【００６０】
図１２に示すログは、アクセスポイント（ＡＰ）、ＭＡＣアドレス、日時、種類が含まれる。アクセスポイントは、アクセスが観測されたアクセスポイント５の識別情報である。ＭＡＣアドレスは、エントリ中のアクセスポイント５にアクセスした装置に割り当てられたＭＡＣアドレスである。日時は、アクセスがアクセスポイント５において観測された時刻の情報である。種類は、アクセスポイント５に対するアクセスの種類である。例えば、無線ＬＡＮコントローラ２０が、登録用ＳＳＩＤでアクセスした端末のアドレスの情報として、ＭＡＣａ、ＭＡＣｂ、ＭＡＣｘを含むリストを保持している場合、図１２に示すログが生成されうる。
【００６１】
図１２の例では、ＭＡＣｘが割り当てられた装置は、６月１０日の１０時にアクセスポイント５ｃに認証要求している。一方、ＭＡＣｂが割り当てられた装置は、６月１０日の１１時にアクセスポイント５ｄにプローブリクエストを送信している。さらに、ＭＡＣａが割り当てられた端末１０は、６月１０日の１０時１５分にアクセスポイント５ａにプローブリクエストを送信している。
【００６２】
無線ＬＡＮコントローラ２０は、このように生成したログを、定期的に、制御装置３０に送信する。このため、制御装置３０は、無線ＬＡＮコントローラ２０で生成されたログを用いて、見守り対象者１６が保持している端末１０などの装置の位置を特定できる。
【００６３】
図１３は、無線ＬＡＮコントローラ２０の処理の例を説明するフローチャートである。図１３の例では、見守りサービスを受ける端末１０は、アクセスポイント５の通信エリアに入ると、見守り用に使用されるＳＳＩＤを含むプローブリクエストを送信するものとする。
【００６４】
無線ＬＡＮコントローラ２０は、ＨＴＴＰを用いた通信メッセージを受信したかを判定する（ステップＳ６１）。ＨＴＴＰを用いた通信メッセージを受信した場合、無線ＬＡＮコントローラ２０は、使用されているＳＳＩＤが登録処理用のＳＳＩＤであるかを判定する（ステップＳ６１でＹｅｓ、ステップＳ６２）。登録処理用のＳＳＩＤを用いて送信されたＨＴＴＰパケットを受信すると、無線ＬＡＮコントローラ２０は、登録処理の要求が行われていると判定する（ステップＳ６２でＹｅｓ）。すると、無線ＬＡＮコントローラ２０は、ＨＴＴＰパケットの送信元の端末１０のＭＡＣアドレスを取得すると共に、端末１０と登録フォームの宛先登録画面へのアクセスを要求する（ステップＳ６３）。
【００６５】
ステップＳ６１でＨＴＴＰパケットを受信していないと判定した場合と、ステップＳ６２において、登録用ＳＳＩＤを用いた通信ではないと判定した場合、無線ＬＡＮコントローラ２０は、プローブリクエストの送信であるかを判定する（ステップＳ６４）。検出されたアクセスがプローブリクエストの送信ではない場合、無線ＬＡＮコントローラ２０は、発生したアクセスに対するログを作成する（ステップＳ６４でＮｏ、ステップＳ６６）。その後、無線ＬＡＮコントローラ２０は、ログを制御装置３０に送信する（ステップＳ６９）。
【００６６】
検出されたアクセスがプローブリクエストの送信である場合、無線ＬＡＮコントローラ２０は、プローブリクエスト中に見守り用のＳＳＩＤが含まれているかを判定する（ステップＳ６４でＹｅｓ、ステップＳ６５）。プローブリクエスト中に見守り用のＳＳＩＤが含まれていない場合、無線ＬＡＮコントローラ２０は、処理を終了する（ステップＳ６５でＮｏ）。
【００６７】
一方、プローブリクエスト中に見守り用のＳＳＩＤが含まれている場合、プローブリクエストの送信元のＭＡＣアドレスが、リストＬ１に登録されているかを判定する（ステップＳ６５でＹｅｓ、ステップＳ６７）。プローブリクエストの送信元のＭＡＣアドレスが、リストＬ１に登録されていない場合、無線ＬＡＮコントローラ２０は、処理を終了する（ステップＳ６７でＮｏ）。プローブリクエストの送信元のＭＡＣアドレスが、リストＬ１に登録されている場合、無線ＬＡＮコントローラ２０は、アクセスポイント５の識別子に対応付けて、ＭＡＣアドレスをログに登録する（ステップＳ６７でＹｅｓ、ステップＳ６８）。その後、無線ＬＡＮコントローラ２０は、ログを制御装置３０に送信する（ステップＳ６９）。
【００６８】
（４）制御装置３０での位置情報の特定と通知
図１４は、アクセスポイント情報テーブル５１の例を説明する図である。アクセスポイント情報テーブル５１は、アクセスポイント５の識別情報に対応付けて、設置位置が記録されている。例えば、アクセスポイント５ａ（ＡＰ５ａ）は市役所内に設置されている。アクセスポイント５ｂ（ＡＰ５ｂ）は、公民館Ａに設置されている。アクセスポイント５ｃ（ＡＰ５ｃ）はＹ小学校の体育館に設定され、アクセスポイント５ｄ（ＡＰ５ｄ）はＹ小学校の図書室に設置されている。
【００６９】
図１５は、位置情報の通知の例を説明する図である。見守り対象者１６は、端末１０を携帯して移動している。図１５の例でも、見守り対象者１６が保持する端末１０は、アクセスポイント５の通信エリアに入ると、見守り用に使用されるＳＳＩＤを含むプローブリクエストを送信するものとする。さらに、制御装置３０は、図１４に示すアクセスポイント情報テーブル５１を保持しているとする。
【００７０】
例えば、端末１０を保持した見守り対象者１６がアクセスポイント５ａの通信エリアに入ったとする。すると、アクセスポイント５ａは、送信元ＭＡＣアドレスがＭＡＣａであって、見守り用に使用されるＳＳＩＤを含むプローブリクエストを受信する（矢印Ａ２１）。
【００７１】
アクセスポイント５ａは、プローブリクエストの受信に関する情報を無線ＬＡＮコントローラ２０に通知する（矢印Ａ２２）。このとき、無線ＬＡＮコントローラ２０には、プローブリクエスト中の送信元ＭＡＣアドレスがＭＡＣａであって、見守り用に使用されるＳＳＩＤを含むことも通知される。ここで、無線ＬＡＮコントローラ２０がＭＡＣａを含むリストを、プローブリクエストのログを生成する対象として保持しているとする。すると、無線ＬＡＮコントローラ２０は、ＭＡＣａのプローブリクエストの情報をログに記録する。例えば、無線ＬＡＮコントローラ２０は、図１２に示すログを生成したとする。無線ＬＡＮコントローラ２０は、生成したログを制御装置３０に送信する。
【００７２】
制御装置３０中の位置特定部４３は、ＭＡＣａが割り当てられている端末１０がアクセスポイント５ａ（ＡＰ５ａ）の通信エリアに位置していることと、アクセスポイント５ａが市役所に設置されていることを特定する。すると、位置特定部４３は、ＭＡＣａが割り当てられている端末１０を保持している見守り対象者１６は、市役所にいると判定する。
【００７３】
通知処理部４４は、位置特定部４３での特定結果を通知するためのメールを生成し、ＭＡＣアドレス＝ＭＡＣａに対応付けられた通知先にメールを送信する。例えば、制御装置３０が通知対象テーブル５２−２（図８）を保持しているとする。この場合、通知処理部４４は、ＭＡＣａが割り当てられている端末１０を保持している見守り対象者１６が市役所にいることを通知するメールを、ａａａ＠ｅｘａｍｐｌｅ．ｃｏｍと、ｍｉｍａｍｏｒｉ＿１＠ｘｘ．ｙｙ宛に送信する（矢印Ａ２３）。このため、送信されたメールは、適宜、システム中のメールサーバ２２を介して、依頼者１２が保持している通信装置１５などの通知先に送信される。
【００７４】
図１６は、制御装置３０の処理の例を説明するフローチャートである。図１６の処理では、変数ｎと定数Ｎが使用される。変数ｎは、ログ中で処理対象としたアドレスの計数に使用される。定数Ｎは、ログ中に含まれているＭＡＣアドレスの総数である。
【００７５】
制御装置３０中の受信部３３は、無線ＬＡＮコントローラ２０からログを受信する（ステップＳ８１）。受信部３３は、ログを位置特定部４３に出力する。位置特定部４３は、変数ｎを１に設定する（ステップＳ８２）。位置特定部４３は、ログ中に含まれているｎ番目のＭＡＣアドレスを、通知対象テーブル５２中に登録されているＭＡＣアドレスと比較することにより、ｎ番目のＭＡＣアドレスが見守り対象として登録されているかを判定する（ステップＳ８３）。
【００７６】
見守り対象として登録されているＭＡＣアドレスである場合、位置特定部４３は、ｎ番目のＭＡＣアドレスに対応付けられたアクセスポイント５の識別子（ＡＰＩＤ）から、見守り対象の端末１０の位置を特定する（ステップＳ８４）。通知処理部４４は、位置特定部４３での特定結果を通知するためのメールを生成する。さらに、通知処理部４４は、ｎ番目のＭＡＣアドレスに対応付けられた通知先にメールを送信する（ステップＳ８５）。位置特定部４３は、変数ｎが定数Ｎ以上であるかを判定する（ステップＳ８６）。変数ｎが定数Ｎ未満の場合、位置特定部４３は、変数ｎを１つインクリメントして、ステップＳ８３以降の処理を繰り返す（ステップＳ８６でＮｏ、ステップＳ８７）。一方、変数ｎが定数Ｎ以上である場合、位置特定部４３は処理を終了する（ステップＳ８６でＹｅｓ）。
【００７７】
ステップＳ８３において、ｎ番目のＭＡＣアドレスが見守り対象として登録されているＭＡＣアドレスではないと判定された場合、位置特定部４３は、ステップＳ８６以降の処理を行う（ステップＳ８３でＮｏ）。
【００７８】
以上説明したように、見守り対象者１６が保持する端末１０の位置情報が依頼者１２の通信装置１５などに通知されるため、依頼者１２は、見守り対象者１６から離れていても、見守り対象者１６の位置を把握することができる。また、複数のアクセスポイント５での検出状況が時系列に沿って通信装置１５に通知されることで、依頼者１２は、見守り対象者１６の移動状況を認識することもできる。
【００７９】
図１７は、位置情報の通知の例を説明する図である。例えば、見守り対象者１６が端末１０を携帯した状態で、アクセスポイント５ｂ〜５ｄの設置位置の周辺を移動したとする。図１７では、図を見やすくするためにアクセスポイント５を図示していないが、アクセスポイント５ｂは通信エリア３ｂを形成し、アクセスポイント５ｃは通信エリア３ｃを形成するものとする。さらに、アクセスポイント５ｄは通信エリア３ｄを形成している。図１７中の点線の矢印は、見守り対象者１６の移動経路の例である。また、図１７の例でも端末１０のＭＡＣアドレスはＭＡＣａであるとする。
【００８０】
時刻Ｔ１に、見守り対象者１６は、通信エリア３ｃに入ったとする。すると、端末１０は、アクセスポイント５ｃにプローブリクエストを送信する。アクセスポイント５ｃは、無線ＬＡＮコントローラ２０に端末１０からのアクセスの情報を通知する。無線ＬＡＮコントローラ２０は、端末１０のＭＡＣアドレスが、プローブリクエストに対するログを生成するリストＬ１（図６）に含まれているかを判定する。端末１０のＭＡＣアドレスがリストＬ１に含まれていると、無線ＬＡＮコントローラ２０は、以下の情報を含むログを制御装置３０に送信する。  
アクセスポイント：アクセスポイント５ｃ
アクセス時刻    ：Ｔ１
アクセスした装置のＭＡＣアドレス：ＭＡＣａ
【００８１】
制御装置３０中の位置特定部４３は、受信部３３を介してログを取得すると、通知対象テーブル５２−２（図８）を用いて、ログ中に見守りサービスの処理対象として登録された装置によるアクセスが含まれているかを判定する。通知対象テーブル５２−２には、ＭＡＣアドレス＝ＭＡＣａの装置に対するエントリがある。そこで、位置特定部４３は、ＭＡＣａの位置情報を、ＭＡＣアドレス＝ＭＡＣａの装置に対するエントリ中の通知先に通知することを決定すると共に、アクセスポイント情報テーブル５１（図１４）を用いて通知対象の装置（端末１０）の位置を特定する。図１７の例では、時刻Ｔ１に通信エリア３ｃに入っており、通信エリア３ｃを形成するアクセスポイント５ｃは、Ｙ小学校の体育館に設置されている。このため、位置特定部４３は、端末１０を保持している見守り対象者１６がＹ小学校の体育館にいると判定する。
【００８２】
通知処理部４４は、位置特定部４３の判定結果を、ＭＡＣアドレス＝ＭＡＣａの装置に対するエントリ中の通知先に宛てて送信する通知メールを生成する。例えば、時刻Ｔ１での端末１０の位置を通知するメールとして、通知処理部４４は、メールｍ１１を生成できる。メールｍ１１は、時刻Ｔ１に見守り対象者１６がＹ小学校の体育館に位置しているという情報を通知するメールであり、端末１０に対応付けられた通知先のメールアドレスが宛先に設定されている。通知処理部４４は、メールｍ１１を送信部３２経由でメールサーバ２２に送信する。メールサーバ２２は、メールｍ１１を宛先の通信装置１５に向けて送信する。このため、依頼者１２は、通信装置１５に届いたメールを見ることにより、時刻Ｔ１での見守り対象者１６の位置を特定できる。
【００８３】
その後、見守り対象者１６が端末１０を携帯したまま移動したことにより、時刻Ｔ２に端末１０とアクセスポイント５ｃの間の接続が切断されたとする。すると、アクセスポイント５ｃは、端末１０との間の通信の切断を無線ＬＡＮコントローラ２０に通知する。すると、無線ＬＡＮコントローラ２０は、通信の切断の発生をログに記録した上で、制御装置３０に送信する。制御装置３０中の位置特定部４３は、時刻Ｔ１でのアクセスの情報を記録したログに対する処理と同様の処理を行う。このため、位置特定部４３は、時刻Ｔ２に、見守り対象者１６がＹ小学校の体育館に設置されている通信エリア３ｃから出ていることを特定する。そこで、通知処理部４４は、図１７のｍ１２に示すメールを生成する。
【００８４】
時刻Ｔ３には、見守り対象者１６が端末１０を携帯したまま、通信エリア３ｄに入ったとする。アクセスポイント５ｄから無線ＬＡＮコントローラ２０に、端末１０とアクセスポイント５ｄの間の通信の情報が通知されるので、無線ＬＡＮコントローラ２０は、端末１０がアクセスポイント５ｄと通信していることを示すログを制御装置３０に送信する。制御装置３０中の位置特定部４３は、取得したログを時刻Ｔ１でのアクセスの情報を記録したログと同様に処理することにより、端末１０がＹ小学校の図書館に設置された通信エリア３ｄに位置していると判定する。そこで、通知処理部４４は、図１７中のメールｍ１３を、端末１０に対応付けられた通信先に、メールサーバ２２経由で送信する。
【００８５】
時刻Ｔ４には、見守り対象者１６が端末１０を携帯したまま、通信エリア３ｄから出たとする。アクセスポイント５ｄは、端末１０との間の通信の切断を無線ＬＡＮコントローラ２０に通知する。すると、無線ＬＡＮコントローラ２０は、通信の切断の発生をログに記録した上で、制御装置３０に送信する。制御装置３０中の位置特定部４３は、時刻Ｔ１でのアクセスの情報を記録したログに対する処理と同様に、取得したログの処理を行う。このため、位置特定部４３は、時刻Ｔ４に、見守り対象者１６がＹ小学校の図書館に設置されている通信エリア３ｄから出ていることを特定する。そこで、通知処理部４４は、図１７のｍ１４に示すメールを生成する。
【００８６】
時刻Ｔ５には、見守り対象者１６が端末１０を携帯したまま、通信エリア３ｂに入ったとする。無線ＬＡＮコントローラ２０に、端末１０とアクセスポイント５ｂの間の通信についての情報が通知されるので、無線ＬＡＮコントローラ２０は、端末１０がアクセスポイント５ｂと通信していることを示すログを制御装置３０に送信する。制御装置３０中の位置特定部４３は、取得したログを時刻Ｔ１でのアクセスの情報を記録したログと同様に処理することにより、端末１０が公民館Ａに設置された通信エリア３ｂに位置していると判定する。そこで、通知処理部４４は、図１７中のメールｍ１５を、端末１０に対応付けられた通信先に送信する。
【００８７】
時刻Ｔ６には、見守り対象者１６が端末１０を携帯したまま、通信エリア３ｂから出たとする。アクセスポイント５ｂは、端末１０との間の通信の切断を無線ＬＡＮコントローラ２０に通知する。すると、無線ＬＡＮコントローラ２０は、通信の切断の発生をログに記録した上で、制御装置３０に送信する。制御装置３０中の位置特定部４３は、時刻Ｔ１でのアクセスの情報を記録したログに対する処理と同様に、取得したログの処理を行う。このため、位置特定部４３は、時刻Ｔ６に、見守り対象者１６が公民館に設置されている通信エリア３ｂから出ていることを特定する。そこで、通知処理部４４は、図１７のｍ１６に示すメールを生成する。
【００８８】
図１７を参照しながら説明したように、時系列に通知された複数の情報を用いることにより、依頼者１２は、見守り対象者１６の移動状況を認識することができる。
【００８９】
＜第２の実施形態＞
図１８は、第２の実施形態での登録処理の例を説明するシーケンス図である。第２の実施形態では、無線ＬＡＮコントローラ２０によるリダイレクトは行われず、制御装置３０が、登録用ＳＳＩＤを用いた通信の情報を無線ＬＡＮコントローラ２０から取得する場合の例を説明する。
【００９０】
依頼者１２は、端末１０を携帯した様態で、アクセスポイント５ａの通信エリア内に入ると共に、登録用ＳＳＩＤを用いて端末１０からアクセスポイント５ａにアクセスしたとする（ステップＳ９１）。アクセスポイント５ａは、端末１０が登録用ＳＳＩＤを用いてアクセスしていることを無線ＬＡＮコントローラ２０に通知する。さらに、無線ＬＡＮコントローラ２０は、登録用ＳＳＩＤを用いて行われたアクセスの情報を制御装置３０に通知する（ステップＳ９２）。なお、第２の実施形態においても、無線ＬＡＮコントローラ２０は、端末１０が登録用ＳＳＩＤを用いてシステム中のいずれかのアクセスポイント５にアクセスしたことを認識すると、端末１０のＭＡＣアドレスをリストＬ１に記録する。
【００９１】
制御装置３０の取得部４１は、受信部３３を介して、無線ＬＡＮコントローラ２０から通知された情報を取得する。取得部４１は、端末１０のＭＡＣアドレスを取得する。さらに、取得部４１は、登録フォームの宛先通知画面のデータを端末１０に送信する（ステップＳ９３）。ステップＳ９４〜Ｓ９６の処理は、図５を参照しながら説明したステップＳ２６〜Ｓ２８の処理と同様である。さらに、ステップＳ９７〜Ｓ１０２の処理は、図７を参照しながら説明したステップＳ３１〜Ｓ３６の処理と同様である。
【００９２】
第２の実施形態で説明したように無線ＬＡＮコントローラ２０によるリダイレクトが行われない場合、無線ＬＡＮコントローラ２０と端末１０の間の通信が第１の実施形態に比べて少なくなる。このため、無線ＬＡＮコントローラ２０の処理負荷は第１の実施形態よりも小さくなる。
【００９３】
＜変形例＞
なお、実施形態は上記に限られるものではなく、様々に変形可能である。以下にその例をいくつか述べる。
【００９４】
（１）変形例１
第１の実施形態や第２の実施形態では、端末１０から送信されたプローブリクエストを用いて端末１０を検出する場合の処理を例として説明したが、端末１０の検出に使用される信号はプローブリクエストに限られない。例えば、端末１０から送信された認証要求など、端末１０が端末１０自身のＭＡＣアドレスを含めて送信する任意の制御信号を用いて、端末１０の位置検出が行われ得る。プローブリクエスト以外の制御メッセージを用いて端末１０の位置が検出される場合も、アクセスポイント５は端末１０から受信した制御信号を無線ＬＡＮコントローラ２０に転送する。無線ＬＡＮコントローラ２０は、制御信号の種類がプローブリクエストではない場合、図１３を参照しながら説明したように、端末１０からのアクセスの情報をログに記録する（ステップＳ６４でＮｏ、ステップＳ６６）。生成されたログは、無線ＬＡＮコントローラ２０から制御装置３０に送信される。このため、制御装置３０は、プローブリクエスト以外の信号を用いて生成されたログに端末１０のＭＡＣアドレスが含まれていれば、端末１０の接続先となっているアクセスポイント５によって形成されている通信エリア３の中に端末１０が存在すると判定できる。
【００９５】
このように変形されると、端末１０がプローブリクエストの際に、ランダムに生成したランダムＭＡＣアドレスを用いる場合であっても、端末１０がアクセスポイント５に接続後に生成した制御信号に含まれているＭＡＣアドレスを用いて、端末１０の位置が特定され得る。
【００９６】
（２）変形例２
無線ＬＡＮコントローラ２０は、登録処理が完了した端末１０のＭＡＣアドレスだけを、見守り対象の装置の情報として、リストに保持していても良い。この場合、無線ＬＡＮコントローラ２０は、アクセスポイント５に登録用ＳＳＩＤでアクセスしてきた装置のＭＡＣアドレスをアクセスポイント５からの通知の段階では記憶しない。制御装置３０中の登録処理部４２は、見守り処理の対象の装置についての登録処理が終わるたびに、登録処理を行った装置のＭＡＣアドレスを無線ＬＡＮコントローラ２０に通知する。無線ＬＡＮコントローラ２０は、登録処理部４２から通知されたＭＡＣアドレスをリストに記憶する。
【００９７】
このように変形すると、無線ＬＡＮコントローラ２０がプローブについてのログを生成する対象の装置は、制御装置３０への登録処理が終わっている装置に限定される。従って、登録処理を途中で中断した端末１０について、無線ＬＡＮコントローラ２０は、プローブリクエストが送信されても、ログを生成しなくても良い。このため、無線ＬＡＮコントローラ２０での処理負荷が軽くなる。
【００９８】
（３）変形例３
見守り対象者１６の移動が多い場合、通信装置１５に対して頻繁に見守り対象者１６の位置を通知するメールが届くため、依頼者１２が煩わしく感じるおそれもある。そこで、通知処理部４４は、複数のアクセスポイントをアクセスポイントの設置位置を用いて複数のグループに分類しても良い。この場合、通知処理部４４は、所定の期間内に、同じグループ中のアクセスポイント５が形成する通信エリア３の間で行われる端末１０の移動は、通知対象から除外する。
【００９９】
例えば、通知処理部４４は、各アクセスポイントの設置位置情報のうちの一部の文字列が一致した場合に、同じグループとしても良い。図１４の場合、アクセスポイント５ｃとアクセスポイント５ｄがＹ小学校の中に設置されているので、１つのグループとして扱われる。この状況で、見守り対象者１６は、図１７の矢印のように移動したとする。この場合、見守り対象者１６は、時刻Ｔ２で通信エリア３ｃを出てから、時刻Ｔ３で通信エリア３ｄに入っている。通信エリア３ｃと通信エリア３ｄは同じグループのアクセスポイントによって生成されている。このため、時刻Ｔ３と時刻Ｔ２の間の時間が所定の期間内であれば、通信エリア３ｃから通信エリア３ｄへの移動については、制御装置３０は、通信装置１５に通知しない。すなわち、通知処理部４４は、時刻Ｔ２の移動に基づくメールｍ１２の生成と、時刻Ｔ３の移動に基づくメールｍ１３の生成を行わない。従って、通信装置１５には、時刻Ｔ１の移動に基づいてメールｍ１１が送信されてから、時刻Ｔ４の移動に基づいてメールｍ１４が送信されるまでメールが送信されない。このため、依頼者１２の利便性が高くなると共に、制御装置３０の処理負荷が軽減される。
なお、グループの設定方法やグループの特定方法は、実装に応じて変更され得る。
【０１００】
（４）登録完了画面と承認処理の変形例
制御装置３０が登録完了画面を通信装置１５に送信することにより、依頼者１２に仮登録番号を通知し、管理センタ１００での承認処理が可能な状態であることを通知する場合を例としたが、登録完了画面は図７中のＧ３の形式に限られない。例えば、登録完了画面には、二次元コードが表示されても良い。二次元コードを用いた登録完了画面が通信装置１５に送信される場合、依頼者１２は、登録完了画面をプリントアウトして管理センタ１００に持参する。さらに、依頼者１２は、端末１０や依頼者１２自身の身分証明書と共に、二次元コードをプリントアウトしたものを管理センタ１００のオペレータに提出する。すると、オペレータは、二次元コードを用いて、二次元コードに対応付けられた依頼者１２や端末１０の情報を検索できる。また、依頼者１２は、二次元コードをプリントアウトする代わりに、通信装置１５の画面に登録完了画面を表示した状態で、管理センタ１００のオペレータに提示しても良い。この場合、オペレータは、依頼者１２が提示した通信装置１５の画面の二次元コードから、処理対象の情報にアクセスできる。
【０１０１】
さらに、登録完了画面では、管理センタ１００で使用可能なユーザＩＤを用いて、登録を確認しても良い。例えば、管理センタ１００が市役所に設置されている場合、市役所での処理の際に依頼者１２を識別する識別情報を、完了登録通知に含めるように変形しても良い。この場合、制御装置３０には、予め、管理装置２４から、市での処理に使用する識別情報と市民の名前の対応情報が登録されている。制御装置３０中の登録処理部４２は、登録処理を行っている依頼者１２の氏名を用いて、識別情報を特定し、特定した識別情報を登録画面に含める。
【０１０２】
（５）その他
以上の説明で使用した画面の例やテーブル中の情報要素は一例であり、実装に応じて任意に変更され得る。
【０１０３】
制御装置３０がＳＤＮコントローラとして動作する場合、制御装置３０は、無線ＬＡＮコントローラ２０の設定処理を行うこともできるものとする。また、制御装置３０は、無線ＬＡＮコントローラ２０を介してアクセスポイント５を制御しても良く、アクセスポイント５の制御を行っても良い。
【０１０４】
第１の実施形態などでは、登録用のＳＳＩＤと見守り用のＳＳＩＤが用いられる場合を例として説明したが、登録用のＳＳＩＤと見守り用のＳＳＩＤは同じＳＳＩＤであっても良い。さらに、見守り処理の際には、任意のＳＳＩＤが使用されても良い。見守り処理に任意のＳＳＩＤが使用される場合、位置特定部４３は、任意のＳＳＩＤを用いた通信のログを使用して、端末１０の位置を特定する。
【０１０５】
上述の第１および第２の実施形態や変形例を含む実施形態に関し、さらに以下の付記を開示する。
（付記１）
複数のアクセスポイントを含むネットワークを制御する制御装置に、
前記複数のアクセスポイントのいずれかと通信する対象装置に割り当てられ、前記アクセスポイントとの通信に使用される制御信号に含まれるアドレスを取得し、
前記対象装置のアドレスに対応付けて識別情報を記憶部に記憶し、
前記対象装置の情報の通知先の特定に使用する通知先情報を受信すると、前記通知先情報に対応付けて通知された識別情報が前記記憶部に記憶されている場合、前記対象装置のアドレスに対応づけて前記通知先情報を記憶部に記憶し、
前記複数のアクセスポイントのいずれかで受信された制御信号の情報を取得すると前記記憶部を参照し、
前記制御信号の送信元アドレスが前記記憶部に存在すると、当該送信元アドレスに対応づけて記憶している通知先に、前記対象装置からのアクセスが発生したことを通知する
処理を行わせることを特徴とする通知プログラム。
（付記２）
前記制御装置は、前記複数のアクセスポイントの各々について、当該アクセスポイントの識別子と当該アクセスポイントの設置位置を対応付けた情報を記憶しており、
前記制御装置に、
前記制御信号を受信したアクセスポイントの識別子と共に、前記制御信号の送信元アドレスを取得し、
前記制御信号の送信元アドレスが前記記憶部に存在すると、前記制御信号を受信したアクセスポイントの設置位置を特定し、
前記制御信号の送信元アドレスに対応づけて記憶している通知先に、前記設置位置を通知する
処理をさらに行わせることを特徴とする付記１に記載の通知プログラム。
（付記３）
前記制御装置は、
前記対象装置からの制御信号を受信した第１のアクセスポイントと前記対象装置の間の接続が切断されると、前記対象装置が前記第１のアクセスポイントによって生成される第１の通信エリアから出たと判定し、前記対象装置が前記第１の通信エリアから移動したことを、前記通知先に通知し、
第２のアクセスポイントが前記対象装置からの他の制御信号を受信したことが通知されると、前記対象装置が第２のアクセスポイントによって生成される第２の通信エリアへ移動したことを前記通知先に通知する
ことを特徴とする付記２に記載の通知プログラム。
（付記４）
前記制御装置は、
前記対象装置が前記制御装置に前記対象装置のアドレスを通知する際に使用するサービスセット識別子を用いて送受信される信号から、前記対象装置のアドレスを取得する無線コントローラと通信可能であり、
前記対象装置のアドレスから前記複数のアクセスポイントのいずれかに接続要求が送信されたことと、前記接続要求を受信したアクセスポイントの識別子の組み合わせを、前記無線コントローラから受信し、
前記組み合わせ中の識別子で識別されるアクセスポイントが形成する通信エリアに前記対象装置が位置していると判定する
ことを特徴とする付記２または３に記載の通知プログラム。
（付記５）
複数のアクセスポイントのいずれかと通信する対象装置に割り当てられ、前記アクセスポイントとの通信に使用される制御信号に含まれるアドレスを取得する取得部と、
前記対象装置のアドレスに対応付けて識別情報を記憶する記憶部と、
前記対象装置の情報の通知先の特定に使用する通知先情報を受信する受信部と、
前記通知先情報に対応付けて通知された識別情報が前記記憶部に記憶されている場合、前記対象装置のアドレスに対応づけて前記通知先情報を記憶部に記憶する登録処理部と、
前記複数のアクセスポイントのいずれかとの通信に使用される制御信号の送信元アドレスが前記記憶部に存在すると、当該送信元アドレスに対応づけて記憶している通知先に、前記対象装置からのアクセスが発生したことを通知する通知処理部
を備えることを特徴とする制御装置。
（付記６）
前記制御信号の送信元アドレスが前記記憶部に存在すると、前記複数のアクセスポイントの各々について、当該アクセスポイントの識別子と当該アクセスポイントの設置位置を対応付けた情報を用いて、前記制御信号を受信したアクセスポイントの設置位置を特定する位置特定部をさらに備え、
前記通知処理部は、前記制御信号の送信元アドレスに対応づけて記憶している通知先に、前記制御信号を受信したアクセスポイントの設置位置を通知する
ことを特徴とする付記５に記載の制御装置。
（付記７）
前記位置特定部は、前記対象装置からの制御信号を受信した第１のアクセスポイントと前記対象装置の間の接続が切断されると、前記対象装置が前記第１のアクセスポイントによって生成される第１の通信エリアから出たと判定し、
前記通知処理部は、
前記対象装置が前記第１の通信エリアから移動したことを、前記通知先に通知し、
第２のアクセスポイントが前記対象装置からの他の制御信号を受信したことが通知されると、前記対象装置が第２のアクセスポイントによって生成される第２の通信エリアへ移動したことを前記通知先に通知する
ことを特徴とする付記７に記載の制御装置。
（付記８）
複数のアクセスポイントを含むネットワークを制御する制御装置が、
前記複数のアクセスポイントのいずれかと通信する対象装置に割り当てられ、前記アクセスポイントとの通信に使用される制御信号に含まれるアドレスを取得し、
前記対象装置のアドレスに対応付けて識別情報を記憶部に記憶し、
前記対象装置の情報の通知先の特定に使用する通知先情報を受信すると、前記通知先情報に対応付けて通知された識別情報が前記記憶部に記憶されている場合、前記対象装置のアドレスに対応づけて前記通知先情報を記憶部に記憶し、
前記複数のアクセスポイントのいずれかで受信された制御信号の情報を取得すると前記記憶部を参照し、
前記制御信号の送信元アドレスが前記記憶部に存在すると、当該送信元アドレスに対応づけて記憶している通知先に、前記対象装置からのアクセスが発生したことを通知する
処理を行なうことを特徴とする通知方法。
（付記９）
前記制御装置は、
前記複数のアクセスポイントの各々について、当該アクセスポイントの識別子と当該アクセスポイントの設置位置を対応付けた情報を記憶しており、
前記制御信号を受信したアクセスポイントの識別子と共に、前記制御信号の送信元アドレスを取得し、
前記制御信号の送信元アドレスが前記記憶部に存在すると、前記制御信号を受信したアクセスポイントの設置位置を特定し、
前記制御信号の送信元アドレスに対応づけられて記憶している通知先に、前記設置位置を通知する
ことを特徴とする付記８に記載の通知方法。
（付記１０）
前記制御装置は、
前記対象装置からの制御信号を受信した第１のアクセスポイントと前記対象装置の間の接続が切断されると、前記対象装置が前記第１のアクセスポイントによって生成される第１の通信エリアから出たと判定し、前記対象装置が前記第１の通信エリアから移動したことを、前記通知先に通知し、
第２のアクセスポイントが前記対象装置からの他の制御信号を受信したことが通知されると、前記対象装置が第２のアクセスポイントによって生成される第２の通信エリアへ移動したことを前記通知先に通知する
ことを特徴とする付記９に記載の通知方法。
（付記１１）
前記制御装置は、
前記対象装置が前記制御装置に前記対象装置のアドレスを通知する際に使用するサービスセット識別子を用いて送受信される信号から、前記対象装置のアドレスを取得する無線コントローラと通信可能であり、
前記対象装置のアドレスから前記複数のアクセスポイントのいずれかに接続要求が送信されたことと、前記接続要求を受信したアクセスポイントの識別子の組み合わせを、前記無線コントローラから受信し、
前記組み合わせ中の識別子で識別されるアクセスポイントに前記対象装置が形成する通信エリアに位置していると判定する
ことを特徴とする付記９または１０に記載の通知方法。
【符号の説明】
【０１０６】
３  通信エリア
５  アクセスポイント
１０  端末
１２  依頼者
１５  通信装置
１６  見守り対象者
２０  無線ＬＡＮコントローラ
２２  メールサーバ
２４  管理装置
３０  制御装置
３１  通信部
３２  送信部
３３  受信部
４０  制御部
４１  取得部
４２  登録処理部
４３  位置特定部
４４  通知処理部
５０  記憶部
５１  アクセスポイント情報テーブル
５２  通知対象テーブル
１００  管理センタ
１０１  プロセッサ
１０２  メモリ
１０３  入力装置
１０４  出力装置
１０５  バス
１０６  記憶装置
１０７  可搬記憶媒体駆動装置
１０８  可搬記憶媒体
１０９  ネットワークインタフェース
【図１】
2018007185.tif 000003
【図２】
2018007185.tif 000004
【図３】
2018007185.tif 000005
【図４】
2018007185.tif 000006
【図５】
2018007185.tif 000007
【図６】
2018007185.tif 000008
【図７】
2018007185.tif 000009
【図８】
2018007185.tif 000010
【図９】
2018007185.tif 000011
【図１０】
2018007185.tif 000012
【図１１】
2018007185.tif 000013
【図１２】
2018007185.tif 000014
【図１３】
2018007185.tif 000015
【図１４】
2018007185.tif 000016
【図１５】
2018007185.tif 000017
【図１６】
2018007185.tif 000018
【図１７】
2018007185.tif 000019
【図１８】
2018007185.tif 000020